(57)【要約】【課題】  液晶パネルの内側への異物やカルキの侵入を防止するとともに、光学シートのしわの発生を確実に防止しつつ、光学シート等の内部への異物やカルキの侵入も防止して、輝度の均一を保てるようにする。【解決手段】  光源のランプの前方に拡散板を配置し、拡散板の前面に複数の光学シートを配置したバックライト装置を有する表示装置において、拡散板と光学シートを重ねた縁部分の前後面および端面の３方向を断面コ字形のシール部材またはシールパッキンにより当接して封止するとともに、表示ユニットにシール部材を当接して液晶パネルユニットとバックライト装置間を封止する。ここで、シール部材は、断面Ｌ字形の２個の部材を拡散板と光学シートの端面部分で重着して構成することも可能であり、また、断面Ｌ字形をした前記シール部材の一方の拡散板側のものは、拡散板の背面側に配置されているバックライトシャーシの外周縁を延長折曲して形成することも可能である。【選択図】  図１
2006215512.tif 000002
【特許請求の範囲】
【請求項１】
表示パネルの背面にバックライト装置を配置する表示装置において、前記表示パネル、または前記表示パネル保持部材と前記バックライト装置との間にシール部材を配したことを特徴とする表示装置。
【請求項２】
請求項１に記載の表示装置において、前記シール部材は額縁状に一体成型され、一方の額縁面は前記表示パネル、または前記表示パネル保持部材に当接し、他方の面はバックライトシャーシに当接することを特徴とする表示装置。
【請求項３】
請求項１に記載の表示装置において、前記シール部材は額縁状に一体成型され、一方の額縁面は前記表示パネル、または前記表示パネル保持部材に緩衝材を介して当接し、他方の面はバックライトシャーシに当接することを特徴とする表示装置。
【請求項４】
請求項１に記載の表示装置において、前記シール部材は前記表示パネル縁部の長手方向と短手方向に対応して複数に分割された成型部材で構成され、各シール部材はバックライトシャーシに固定され、前記表示パネル、または前記表示パネル保持部材に対向する部位は、前記表示パネル、または前記表示パネル保持部材に少なくとも一部が当接することを特徴とする表示装置。
【請求項５】
請求項１に記載の表示装置において、前記シール部材は前記表示パネル縁部の長手方向と短手方向に対応して複数に分割された成型部材で構成され、各シール部材はバックライトシャーシに固定され、前記表示パネル、または前記表示パネル保持部材に対向する部位は、前記表示パネル、又前記表示パネル保持部材に少なくとも一部が緩衝材を介して当接することを特徴とする表示装置。
【請求項６】
請求項１に記載の表示装置において、前記シール部材は前記表示パネル縁部の長手方向と短手方向に対応して上下と左右各２本づつの４本に分割された成型部材で構成され、前記上下の２本はバックライトシャーシに固定され、前記左右の２本は前記バックライトシャーシの内側に固定された蛍光管ホルダに固定され、各シール部材の前記表示パネル、または前記表示パネル保持部材に対向する部位は、前記表示パネル、または前記表示パネル保持部材に少なくとも一部が当接することを特徴とする表示装置。
【請求項７】
請求項１に記載の表示装置において、前記シール部材はエラストマーからなるシールパッキンであって拡散板と光学シートを重ねた縁部分の挟持していることを特徴とする表示装置。
【請求項８】
請求項７に記載の表示装置において、前記拡散板および光学シートが矩形をしている場合に、前記シールパッキンは、該矩形に対応した無端連続体に形成したことを特徴とする表示装置。
【請求項９】
請求項７に記載の表示装置において、前記拡散板および光学シートが矩形をしている場合に、前記シールパッキンは、該矩形の４辺に対応した４本により構成したことを特徴とする表示装置。
【請求項１０】
請求項７に記載の表示装置において、前記拡散板および光学シートが矩形をしている場合に、前記シールパッキンは、該矩形の短辺とそれに連続する両側の長辺の一部含むコ字形の部分を１対と、該コ字形部分を除く長辺部分の１対とから構成したことを特徴とする表示装置。
【請求項１１】
請求項７に記載の表示装置において、前記拡散板および光学シートが矩形をしている場合に、前記シールパッキンは、該矩形の長辺と短辺を連続させてＬ字形にした部分を２個相対向させて構成したことを特徴とする表示装置。
【請求項１２】
請求項１乃至１１のいずれかに記載の表示装置において、
前記シール部材は乳白色であることを特徴とする表示装置。
【発明の詳細な説明】
【技術分野】
【０００１】  本発明は、液晶テレビ等のバックライト装置を有する表示装置に関し、詳しくはバックライト装置を構成する光学シートにしわが発生しないように支持するとともに、光学シート等の周縁部やバックライト装置と表示パネル保持部との隙間から内部に異物が侵入することを防止して均一な輝度が得られるようにした表示装置に関する。
【背景技術】
【０００２】  従来、液晶テレビ等の液晶表示装置に用いられるバックライト装置は、光源である蛍光ランプの前方にアクリル板等からなる拡散板を配置しその前面にＩＴＯシート、拡散フィルム、プリズムシート、反射偏光フィルム等の光学シートが配置されている。これら拡散板、光学シートは互いに熱膨張率が異なる。そのため、バックライト装置が点灯される度に、常温から温度上昇を始めるにつれて互いに異なる伸び量で膨張する。このとき拡散板に光学シートが部分的あるいは全面で密着した状態にあると、互いの伸縮量が異なるため、光学シート側にリング状等のしわが発生する。しわが発生すると、その前面の液晶パネルに陰が映り、画面上の輝度が不均一になるという問題が発生した。【０００３】  その対策として従来は、バックライト装置の照射面が垂直に支持される場合は、拡散板の上端部が当接する反射板ベースプレートの当接面に複数のピンを突設して、上端に孔を形成した拡散板、各光学シートをそのピンに係止し、拡散板、光学シートをその自重で吊り下げた状態で保持していた。この状態では、光学シートに厚み方向に外力が加わらずに、光学シートは拡散板に対して密着することなく微小な隙間を介して自由に伸縮できるように保持されている。このように構成されたことで、比較的小型のサイズのバックライト装置の場合は目立つ大きさのしわを発生することなく保持できる。しかし、バックライト装置のサイズが大きくなると、光学シートや拡散板も大型化しその自重がピンに集中して掛かることになり、落下振動試験時に光学シートや拡散板のピン係止孔に亀裂が入り脱落してしまうという不具合が発生する場合があり、ピン吊り下げ方式には寸法的な限度が有った。光学シートをピン係止とともに端部を押さえる方法が特許文献１に開示されている。【０００４】  また、拡散板および光学シートの端面やバックライト装置と表示パネル保持部との隙間については、従来、特許文献１にも記載されているように、特に密閉した構造ではなかった。そのため、組立工程で部品の摺動によって発生する微粉等の異物が侵入する場合があり、前面の液晶パネルに陰が映ることがあった。また、バックライト装置を備えた液晶テレビをユーザーが購入後に、その設置室内で超音波加湿器を使用した場合に、飛散された水道水に含まれるカルキが、バックライト装置部分や表示パネル内面にも侵入して、光学シートの表面や表示パネル内面に付着して斑点となり、液晶パネル表示面に陰が映ることがあった。その対策として、拡散板および光学シートの外周におけるバックライト筐体との間の隙間やバックライト装置と表示パネル保持部との隙間に長尺状の部材を詰めることもあった。
【特許文献１】  特開平１１−２８１９６６号公報
【発明の開示】
【発明が解決しようとする課題】
【０００５】  このように、従来は光学シートに発生するしわを防ぐため、光学シートの縁を押さえることが試みられており、中型サイズまでのバックライト装置では、それなりに効果が得られるが、バックライト装置がさらに大型になると、しかし、バックライト装置のサイズが大きくなると、光学シートや拡散板も大型化しその自重がピンに集中して掛かることになり、落下振動試験時に光学シートや拡散板のピン係止孔に亀裂が入り脱落してしまうという不具合が発生する場合があり、ピン吊り下げ方式には寸法的な限度が有った。また、異物やカルキの侵入に対しても、隙間を完全になくすことのできる有効な対策がとられていなかった。そこで本発明は、熱膨張による光学シートの伸び量が大きい大型サイズのバックライト装置であっても、光学シートのしわの発生を確実に防止するとともに、光学シート等の内部や表示パネル内面への異物やカルキの侵入を防止して、輝度の均一を保てるバックライト装置を提案することを目的とした。
【課題を解決するための手段】
【０００６】  上記課題を解決するために、本発明は、表示パネルの背面にバックライト装置を配置する表示装置において、前記表示パネル、または前記表示パネル保持部材と前記バックライト装置との間にシール部材を配したことを特徴とする。又本発明は、本発明に記載の表示装置において、前記シール部材は額縁状に一体成型され、一方の額縁面は前記表示パネル、または前記表示パネル保持部材に当接し、他方の面はバックライトシャーシに当接することを特徴とする。【０００７】      又本発明は、本発明に記載の表示装置において、前記シール部材は額縁状に一体成型され、一方の額縁面は前記表示パネル、または前記表示パネル保持部材に緩衝材を介して当接し、他方の面はバックライトシャーシに当接することを特徴とする。また本発明は、本発明に記載の表示装置において、前記シール部材は前記表示パネル縁部の長手方向と短手方向に対応して複数に分割された成型部材で構成され、各シール部材はバックライトシャーシに固定され、前記表示パネル、または前記表示パネル保持部材に対向する部位は、前記表示パネル、または前記表示パネル保持部材に少なくとも一部が当接することを特徴とする。【０００８】  また本発明は、本発明に記載の表示装置において、前記シール部材は前記表示パネル縁部の長手方向と短手方向に対応して複数に分割された成型部材で構成され、各シール部材はバックライトシャーシに固定され、前記表示パネル、または前記表示パネル保持部材に対向する部位は、前記表示パネル、または前記表示パネル保持部材に少なくとも一部が緩衝材を介して当接することを特徴とする。【０００９】  また本発明は、本発明に記載の表示装置において、前記シール部材は前記表示パネル縁部の長手方向と短手方向に対応して上下と左右各２本づつの４本に分割された成型部材で構成され、前記上下の２本はバックライトシャーシに固定され、前記左右の２本は前記バックライトシャーシの内側に固定された蛍光管ホルダに固定され、各シール部材の前記表示パネル、または前記表示パネル保持部材に対向する部位は、前記表示パネル、または前記表示パネル保持部材に少なくとも一部が当接することを特徴とする。【００１０】  また本発明は、本発明に記載の表示装置において、前記シール部材はエラストマーからなるシールパッキンであって拡散板と光学シートを重ねた縁部分の挟持していることを特徴とする。また本発明は、本発明に記載の表示装置において、前記拡散板および光学シートが矩形をしている場合に、前記シールパッキンは、該矩形に対応した無端連続体に形成したことを特徴とする。また本発明は、本発明に記載の表示装置において、前記拡散板および光学シートが矩形をしている場合に、前記シールパッキンは、該矩形の４辺に対応した４本により構成したことを特徴とする。【００１１】また本発明は、本発明に記載の表示装置において、前記拡散板および光学シートが矩形をしている場合に、前記シールパッキンは、該矩形の短辺とそれに連続する両側の長辺の一部含むコ字形の部分を１対と、該コ字形部分を除く長辺部分の１対とから構成したことを特徴とする。また本発明は、本発明に記載の表示装置において、前記拡散板および光学シートが矩形をし���いる場合に、前記シールパッキンは、該矩形の長辺と短辺を連続させてＬ字形にした部分を２個相対向させて構成したことを特徴とする。また前記シール部材は乳白色であることが好ましい。
【発明の効果】
【００１２】  以上述べたように本発明によれば、表示パネルの背面にバックライト装置を配置する表示装置において、前記表示パネル、または前記表示パネル保持部材と前記バックライト装置との間にシール部材を配したことで表示パネル内部へのカルキ等の異物が侵入することが阻止され。また、拡散板と光学シートを重ねた縁部分の前後面および端面の３方向の外周部分を断面コ字形のシール部材により当接して封止したことで、拡散板や光学シート部分へのカルキ等の異物が侵入することが阻止され、また、拡散板と光学シートの外周が確実に保持されたことで光学シートのしわの発生がなくなり、その結果、表示部に陰が発生することのない均一な輝度が得られるようになる。
【発明を実施するための最良の形態】
【００１３】  以下、図に基づいて本発明を液晶テレビのバックライト装置に適用した場合の実施形態を説明する。【００１４】  本発明のシール部材に樹脂の成形品を用いた第一の実施形態ついて図２乃至図４とともに説明する。図２は、液晶テレビのバックライト装置と液晶パネル部の要部を示す水平方向の断面図である。図３は、液晶テレビのバックライト装置と液晶パネル部の要部を示す垂直方向の断面図である。図４はバックライトシャーシとバックライトシャーシの上下端と両側端部に配置されるシール部材とランプホルダーの平面図である。【００１５】  各図において、１１はバックライト装置の筐体を構成するバックライトシャーシであり、外周部が箱型に折曲されているが、側壁１１ｃは箱型の折り曲げで形成されるが、上下端は箱型の折り曲げの後に更にクランク状に加工され、平坦部１１ａと立上り部１１ｂが形成される。またバックライトシャーシ１１の底面には蛍光管１６を支えるランプクリップ３５が反射シート２２を挟んで挿嵌される挿入孔と、底面の両側端部近傍には、蛍光管１６の電極部と電極部とハンダ付け接続され図示しないインバータ電源へと接続するリード線２１を保持するゴムキャップ２０が挿入されるゴムキャップ孔１１ｄが蛍光管１６の本数分、左右に対で設けられている。【００１６】  バックライト装置の組立ては、バックライトシャーシ１１の底面に反射シート２２をゴムキャップ孔１１ｄの内側の線に合わせるように敷き、所定の複数のランククリップ挿入孔にランプクリップ３５を挿入し反射シート２２を固定する。次にリード線２１とゴムキャップ２０が付けられた蛍光管１６を左右のゴムキャップ孔１１ｄに合わせて挿入するとともに、蛍光管１６をランプクリップ３５に嵌着させて蛍光管１６を固定する。この作業は蛍光管１６の本数分おこなわれる。【００１７】  次にバックライトシャーシ１１の両方の側壁１１ｃ近傍に第一のランプホルダー１５をそれぞれ配置して、上方からバックライトシャーシ１１にビス止め固定する。第一のランプホルダー１５は対向するゴムキャップ２０面を押圧しながらビス止め固定されることで、蛍光管１６の両端部はしっかりと固定されることになる。【００１８】  次に第二のランプホルダー１０を第一のランプホルダー１５を覆うように位置合わせを行い、第一のランプホルダー１５と同様に上方からバックライトシャーシ１１にビス止め固定する。第二のランプホルダー１０は、断面形状が略台形状で、上面には平坦部１０ａと拡散板１２のストッパー突起１０ｂと断面がＬ型のサイドシール部材１４を係止する弾性突起１０ｃが設けられている。第二のランプホルダー１０がバックライトシャーシ１１にビス止め固定された状態では、第二のランプホルダー１０の平坦部１０ａとバックライトシャーシ１１の平坦部１１ａのバックライトシャーシ１１底面からの高さは略同等になる。【００１９】  次に拡散板１２をバックライトシャーシ１１の平坦部１１ａと第二のランプホルダー１０の平坦部１０ａに載せて、更に拡散板１２の上に複数の光学シート１３を重ねる。弾性突起１０ｃの先端部には係止爪１０ｄ部が形成され、サイドシール部材１４の装着後の外れを防止する。拡散板１２は厚さが２〜３ｍｍのアク���ル板などで作られている。サイドシール部材１４は断面がＬ型の一方の面は第二のランプホルダー１０に係止される平面をなす係止面１４ａで、他方の面は平面部１４ｂとその先に反り上がり部が有り、反り上がりの先端部分はアングル１７に当接する当接部１４ｃになる。【００２０】  サイドシール部材１４は、係止面１４ａが、第二のランプホルダー１０のストッパー突起１０ｂと弾性突起１０ｃとの間に形成されている凹部に挿着される。サイドシール部材１４の係止面１４ａの挿着の際は、弾性突起１０ｃの先端の係止爪１０ｄを押し開きながら、サイドシール部材１４の係止面１４ａを前方から押し入れる。係止面１４ａが挿着された後は、係止爪１０ｄが抜け止めとして作用する。サイドシール部材１４の装着はバックライトシャーシ１１の両側部に対してこの作業が行われる。【００２１】  次に、バックライトシャーシ１１の長手方向となる上下端でのトップボトムシール部材３４の取り付け方法を説明する。トップボトムシール部材３４は、断面略逆己字形をした樹脂の成形品で、バックライトシャーシ１１の立上り部１１ｂの外面に当接する外接部と、立上り部１１ｂ面に回り込んで外接部との間で立上り部１１ｂを挟持する凸部３４ａと、バックライトシャーシ１１の平坦部１１ａと略平行に延在する平坦部３４ｂと、平坦部３４ｂの先に反り上がり部の先端部分でアングル１７に当接する当接部３４ｃで構成される。外接部のバックライトシャーシ１１の立上り部１１ｂに対向する面には両面接着テープがシール引きで設けられているが、外接部と凸部３４ａ間の挟持力のみで保持力が保てる場合には必ずしも必要ではない。【００２２】  トップボトムシール部材３４のバックライトシャーシ１１の取り付けは、外接部の両面接着テープシールを剥し、外接部と凸部３４ａの隙間を開くように指で加力して外接部をバックライトシャーシ１１の立上り部１１ｂの外面に当てて貼付けして指を離すことで取り付けが完了する。トップボトムシール部材３４の装着はバックライトシャーシ１１の長手方向の上下両側部に対してこの作業が行われる。【００２３】  このように、拡散板１２および光学シート１３の端部がサイドシール部材１４とトップボトムシール部材３４によりシールドされることで、一般的に行われる光学シート押さえを金具により行う方法に比べて、バックライトシャーシ１１と光学シート押さえ金具の隙間などから拡散板１２と光学シート１３との間、または光学シート１３の間に、カルキ、その他の異物が侵入することが阻止されている。なお、図では、光学シート１３の前面とサイドシール部材１４とトップボトムシール部材３４の間に隙間が形成されているが、この隙間は限りなく０に近くして、異物の侵入を阻止するようにすることが好ましい。また、光学シート１３は、サイドシール部材１４とトップボトムシール部材３４により押圧されていないため、温度変化による収縮が自在となり、しわの発生が防止される。【００２４】  一方、液晶パネル１８は外面（表示視聴側）周囲がベゼル１９、内面周囲がアングル１７と接着剤、または接着剤付の緩衝部材により接着固定され、液晶パネルユニットを形成している。図３においては、液晶パネル１８の端部から引き出された液晶パネル駆動回路を搭載したフレキシブル基板がアングル１７形状に沿って配置され、アングル１７にビス止め固定されている。液晶パネルユニットは前述で形成されたバックライト装置の上方に位置あわせされ、金具を介し、または直接、バックライトシャーシ１１に固定される。【００２５】  液晶パネルユニットとバックライト装置が組み立てられた状態では、バックライト装置の長手方向はトップボトムシール部材３４の当接部３４ｃがアングル１７の液晶パネル１８接着部背面部分の近傍で当接され、バックライト装置の短手方向は、サイドシール部材１４の当接部がアングル１７の液晶パネル１８接着部背面部分の近傍で当接される。このように、液晶パネルユニットとバックライト装置がサイドシール部材１４とトップボトムシール部材３４によりシールドされることで、液晶パネルユニットとバックライト装置の隙間などからカルキ、その他の異物が侵入することが阻止され、液晶パネル１８内面にカルキやその他の異物の付着が防止される。【００２６】  なお、第一の実施形態の説明ではバックライト装置の長手辺と短手辺近傍に装着されるシール部材とその取り付け方法をそれぞれトップボトムシール部材３４とサイドシール部材１４として説明したが、長手方向と短手方向のシール部材とその取り付け方法を逆に使用したり、長手方向と短手方向をトップボトムシール部材３４、またはサイドシール部材１４のどちらかに統一して使用することも可能である。【００２７】  次に、シール部材に樹脂の成形品を用いた第二の実施形態に関し、図１とともに説明する。  図１は、液晶テレビのバックライト装置と液晶パネル部の要部を示す垂直方向の断面図である。図において、１はバックライト装置の筐体を構成するバックライトシャーシであり、外周部が箱型に前方に折曲され、さらにその先端部が断面クランク形に折曲されている。その平坦部１ａの前面に、アクリル板等からなる拡散板２の外縁部が当接されている。拡散板２の前面には、複数の光学シート３が重ねられている。これら拡散板２および光学シート３の上端部の上方には、バックライトシャーシ１の平坦部１ａに連続する立上り部１ｂが配置されている。【００２８】  これらバックライトシャーシ１の平坦部１ａおよび立上り部１ｂと、光学シート３の上端部の前側の３方向を囲むように、断面略コ字形をした樹脂の成形品からなるトップボトムシール部材４が嵌着されている。このトップボトムシール部材４を嵌着する場合は、図の紙面の垂直方向から挿入していくことで、嵌着が可能である。トップボトムシール部材４の左側の前面部分は、一段低く後退した形状に形成されており、その後退部分が、立上り部１ｂの前端に係合することで、トップボトムシール部材４が上方へ抜け出ることを阻止している。【００２９】  このようにして、拡散板２および光学シート３の端部が封止されて、拡散板２と光学シート３との間、または光学シート３の間に、その端部からカルキ、その他の異物が侵入することが阻止される。なお、図では、光学シート３の前面とトップボトムシール部材４の間に隙間が形成されているが、この隙間は限りなく０に近くして、異物の侵入を阻止するようにすることが好ましい。また、光学シート３は、トップボトムシール部材４により押圧されていないため、温度変化による収縮が自在となり、しわの発生が防止される。【００３０】  また、バックライトシャーシ１の底面部分には、ランプクリップ５により、光源である蛍光管６が水平方向に支持されている。また、トップボトムシール部材４の前上方には、アングル７が、図示しない金具を介して、バックライトシャーシ１に固定されている。アングル７の前面には、液晶パネル８が配置され、さらにその外側がベゼル９により覆われることで、液晶パネル８が保持されている。なお、図示例は、バックライト装置の上端部を示しているが、下端部および左右端部についても、略同様に構成することができる。なお、バックライトシャーシ１の短手方向のシール方法は、第一の実施形態と同様におこなわれるため、液晶パネルユニットとの組立ても含め詳細の説明は割愛する。【００３１】  次に、シール部材にエラストマーを用いた第三の実施形態について説明する。図５は、第３の実施形態のバックライト装置の要部を示す液晶テレビのバックライト装置と液晶パネル部の垂直方向の断面図である。図において、４１はバックライト装置の筐体を構成するバックライトシャーシであり、外周部が箱型に前方に折曲され、さらにその先端部が断面クランク形に折曲されている。その平坦部４１ａの前面であって、立上り部４１ｂの下面に、外周にシールパッキン４４が嵌着された拡散板４２および光学シート４３が配設されている。【００３１】  シールパッキン４４は、断面略コ字形をしたエラストマーからなり、拡散板４２および光学シート４３の端面とそれに続く前後面を適度な圧力で挟圧保持する。このようにして、拡散板４２および光学シート４３の端部が封止されて、拡散板４２と光学シート４３との間、または光学シート４３の間に、その端部からカルキ、その他の異物が侵入することが阻止される。また、光学シート４３は、その外周部が、温度変化に対する伸縮が可能な適度な圧力でシールパッキン４４により挟圧保持されているため、温度変化によるしわの発生が防止される。【００３２】  また、バックライトシャーシ４１の前端のフランジ部４１ｃには、断面クランク形をした押さえ具４７が固着され、シールパッキン４４を挟圧して、バックライトシャーシ４１側へ保持している。押さえ具４７の前面には、液晶パネル４８が配置され、さらにその外側がベゼル４９により覆われることで、液晶パネル４８が保持されている。また、バックライトシャーシ４１の底面部分には、光源であるランプ４６が水平方向に支持されている。なお、図示例は、バックライト装置の上端部を示しているが、下端部および左右端部についても、略同様に構成することができる。【００３３】  図６は、図５におけるシールパッキン４４を拡大して示した断面図である。シールパッキン４４は、乳白色をしたエラストマーからなり、コ字形部分の３辺が同一の厚みに形成され、内側間隔が拡散板４２と光学シート４３の厚みに対応した寸法に、外側の幅がバックライトシャーシ４１の立上り部４１ｂと押さえ具４７に対応した寸法に形成されている。図７は、他の断面形状に形成されたシールパッキン５１の断面図であり、先端内側に、シール効果を確実にするための��円状の突起５１ａを設けたものである。また、光学シート４３は、その外周部が、温度変化に対する伸縮が可能な適度な圧力でシールパッキン５１により挟圧保持されているため、温度変化によるしわの発生が防止される。【００３４】  図８は、図５におけるシールパッキン４４の全体形状を示した外観図である。シールパッキン４４は、拡散板４２および光学シート４３の外形に対応した大きさの無端連続体に形成されており、拡散板４２および光学シート４３に嵌着する場合は、シールパッキン４４を引き伸ばしながら行う。【００３５】  図９は、図５におけるシールパッキン４４を複数に分割した実施形態の全体形状を示した外観図である。シールパッキン４４ａは、拡散板４２および光学シート４３の外形に対応した大きさのコ字形部分４４Ａと、直線部分４４Ｂとから形成され、拡散板４２および光学シート４３に嵌着する場合は、両側のコ字形部分４４Ａを嵌めてから、直線部分４４Ｂを嵌めて、コ字形部分４４Ａと直線部分４４Ｂの接続部分に隙間が形成されないようにする。このようにシールパッキン４４ａを分割して形成することで、特に大型サイズの液晶テレビの組立作業が容易になるというメリットや成形型が小さくなりコストメリットも期待される。尚、図７のシールパッキン５１にも適用可能である。【００３６】  図９は、図４におけるシールパッキン４４の全体形状を示した外観図である。シールパッキン４４ｃは、拡散板４２および光学シート４３の外形の隣り合う２辺を一体とした２個のＬ字形部分４４Ｃにより形成され、拡散板４２および光学シート４３に嵌着する場合は、それぞれ直角部分から嵌めていき、互いの先端の接続部分に隙間が形成されないようにする。なお、図示しないが、拡散板４２および光学シート４３の外形の４辺に対応した４本の直線部分により、シールパッキンを構成することも可能である。尚、図７のシールパッキン５１にも適用可能である。【００３７】  次に本発明のシール部材に樹脂の成形品を用いた第四の実施形態ついて図１１と、図１２と、第一の実施形態で説明の図２の一部を流用し説明する。図１１は、液晶テレビのバックライト装置と液晶パネル部の要部を示す垂直方向の断面図である。図１２は額縁状に一体成型された額縁シール部材を表し、（ａ）は正面図、（ｂ）は断面指示線Ａにおける断面図である。額縁シール部材５７の額縁内側の周縁部近傍には、液晶パネル５８に当接する緩衝部材５７ａが貼り付けられている。【００３８】  尚、バックライトシャーシの水平方向の両側端に設けられるランプホルダーは断面形状が台形状で、図２における第二のランプホルダー１０のストッパー突起１０ｂと弾性突起１０ｃが無く、上面は平坦となっており、同様に上方からバックライトシャーシ５１にビス止め固定される。ランプホルダーがバックライトシャーシ５１にビス止め固定された状態では、ランプホルダーの平坦部とバックライトシャーシ５１の平坦部５１ａのバックライトシャーシ５１底面からの高さは略同等になる。【００３９】  図において、５１はバックライト装置の筐体を構成するバックライトシャーシであり、外周部が箱型に折曲されているが、側壁は箱型の折り曲げで形成されるが、上下端は箱型の折り曲げの後に��にクランク状に加工され、平坦部５１ａと立上り部５１ｂが形成される。拡散板５２はバックライトシャーシ５１の平坦部５１ａとランプホルダーの平坦部に載せられ、更に拡散板５２の上に複数の光学シート５３が重ねられる。【００４０】  バックライトシャーシ５１の平坦部５１ａとランプホルダーの平坦部に載せられた拡散板５２と光学シート５３の上方から額縁シール部材５７を覆い、額縁シール部材５７の側面側を直接、または金具を介してバックライトシャーシ５１にビス止め固定する。固定する際の額縁シール部材５７とバックライトシャーシ５１の重ね方は、図１１においてはバックライトシャーシ５１の外側に額縁シール部材５７の側面側を重ねているが、バックライトシャーシ５１の内側に額縁シール部材５７の側面側を重ね、額縁シール部材５７に拡散板５２と光学シート５３の端辺を当てるようにしてもよい。額縁シール部材５７がバックライトシャーシ５１にビス止め固定された状態では光学シート５３の前面と額縁シール部材５７の間に隙間が形成されているが、この隙間は限りなく０に近くして、異物の侵入を阻止するようにすることが好ましい。また、光学シート５３は、額縁シール部材５７により押圧されていないため、温度変化による収縮が自在となり、しわの発生が防止される。【００４１】  一方、液晶パネル５８は外面（表示視聴側）周囲がベゼル５９に接着剤付の緩衝部材５９ａにより接着固定され、液晶パネルユニットを形成している。液晶パネルユニットは前述で形成されたバックライト装置の上方に位置あわせされ、金具を介し、または直接、バックライトシャーシ５１に固定される。液晶パネルユニットとバックライト装置が組み立てられた状態では、額縁シール部材５７の緩衝部材５７ａが液晶パネル５８の緩衝部材５９ａ接着部背面部分の近傍で当接される。このように、液晶パネルユニットとバックライト装置が額縁シール部材５７によりシールドされることで、液晶パネルユニットとバックライト装置の隙間などからカルキ、その他の異物が侵入することが阻止され、液晶パネル５８内面にカルキやその他の異物の付着が防止される。【００４２】  なお、第四の実施形態の説明では拡散板５２を載せる面をバックライト装置の長手辺と短手端部近傍のランプホルダー平坦部として説明したが、バックライトシャーシの長手方向と短手方向の端部に平坦部を設けて、その上に拡散板５２を載せることも可能である。なお本実施形態の説明におけるシール部材は、シールパッキン５１のみならず、液晶パネルの表面輝度の不均一を防止するためには乳白色であることが好ましい。
【産業上の利用可能性】
【００４３】  本発明は、液晶テレビ等の液晶表示装置に用いられる以外にも、ディスプレイ装置等のバックライト装置を具備する表示装置全般に利用可能である。
【図面の簡単な説明】
【００４４】
【図１】第２の実施形態の要部を示す垂直方向の断面図である。
【図２】第１の実施形態の要部を示す水平方向の断面図である。
【図３】第１の実施形態の要部を示す垂直方向の断面図である。
【図４】第１の実施形態のバックライトシャーシとシール部材の平面図
【図５】第３の実施形態の要部を示す垂直方向の断面図である。
【図６】本発明のシール部材の断面図。
【図７】本発明のシール部材の断面図。
【図８】本発明のシール部材の平面図。
【図９】本発明のシール部材の平面図。
【図１０】本発明のシール部材の平面図。
【図１１】第４の実施形態の要部を示す垂直方向の断面図である。
【図１２】第４の実施形態のシール部材の平面図／断面図である。
【符号の説明】
【００２７】１  バックライトシャーシ
１ａ  平坦部
１ｂ  立上り部
２  拡散板
３  光学シート
４  トップボトムシール部材
５  ランプクリップ
６  蛍光管
７  アングル
８  液晶パネル
９  ベゼル
１０  第二のランプホルダー
１０ａ  平坦部
１０ｂ  ストッパー突起
１０ｃ  突起
１０ｄ  弾性突起
１１  バックライトシャーシ
１２  拡散板
１３  光学シート
１４  サイドシールシール部材
１５  第一のランプホルダー
１６  蛍光管
１７  アングル
１８  液晶パネル
１９  ベゼル
２０  ゴムキャップ
２１  ワイヤー線
２２  反射シート
４４  シールパッキン
５７  額縁シール部材
【図１】
2006215512.tif 000003
【図２】
2006215512.tif 000004
【図３】
2006215512.tif 000005
【図４】
2006215512.tif 000006
【図５】
2006215512.tif 000007
【図６】
2006215512.tif 000008
【図７】
2006215512.tif 000009
【図８】
2006215512.tif 000010
【図９】
2006215512.tif 000011
【図１０】
2006215512.tif 000012
【図１１】
2006215512.tif 000013
【図１２】
2006215512.tif 000014